(57)【要約】【課題】感電事故の危険性のある長尺物を避け、運搬や設置、解体が容易且つ迅速に行えると共に、円柱鉄塔等の円柱体のどの位置でも設置可能な安全、安価で工事日数や工事費用の低減を図ることのできる円柱鉄塔工事用足場を提供する。【解決手段】送電線鉄塔等の円柱体にパッドを当てて締め付け固定するための内周部を有する取付けベース２と、該取付けベースに、外周部に外柵３を立てた足場部材を取付けて組立てられたドーナツ状の足場であり、該足場が放射状に複数分割された足場部材１Ａ，１Ｂ，・・・を接合して分離可能に組立てられてなることを特徴とする円柱鉄塔工事用足場である。【選択図】図１
0003133234.tif 000002
【実用新案登録請求の範囲】
【請求項１】
送電線鉄塔等の円柱体にパッドを当てて締め付け固定するための内周部を設け、外周部に外柵を立てて組立てられたドーナツ状の足場であって、該足場が放射状に複数分割されて組立てられてなることを特徴とする円柱鉄塔工事用足場。
【請求項２】
足場の内周部に、送電線鉄塔等の円柱体に当接させてボルトで締付けクランプするようにしたパッド部材が、複数配設されてなることを特徴とする請求項１記載の円柱鉄塔工事用足場。
【請求項３】
足場の底部の支持フレーム上に網板材を敷設し、該網板材で底部の支持フレーム間の開口部が、開閉可能に閉塞されてなることを特徴とする請求項１又は請求項２記載の円柱鉄塔工事用足場。
【請求項４】
放射状に分割された複数の足場部材同士を接合して分離可能に組立てられてなることを特徴とする請求項１〜請求項３のいずれか１項記載の円柱鉄塔工事用足場。
【考案の詳細な説明】
【技術分野】
【０００１】
本考案は、送電線鉄塔等の円柱体に着脱可能に設置して、送電線工事等の作業を行うための円柱鉄塔工事用足場に関するものである。
【背景技術】
【０００２】
従来、送電線鉄塔等にて行う工事作業は、鋼管パイプを組み合わせて架設された足場が一般的に使用されている。
又、円柱鉄塔工事用ゴンドラ装置が開示され、周知されている。（例えば特許文献１参照）
【０００３】
【特許文献１】特開２００４−４４３７６号公報
【考案の開示】
【考案が解決しようとする課題】
【０００４】
しかしながら、従来の鋼管パイプを組み合わせて架設された足場は、円柱鉄塔が送電線鉄塔の場合、長尺物であるため送電線の充電部に接近して感電事故を起こす危険性があると共に、重量物であるため、特に狭い敷地や山間部では足場資材の運搬が甚だ困難となるなどの問題（課題）を有している。加えて足場の架設、解体も複雑であるため、結果として工事費用が高くなりやすく、足場部材の組み合わせ部が多いため、安全点検を要する箇所も必然的に多くなり、かなりの日数を要していた。
【０００５】
又、上記特許文献１に開示されている円柱鉄塔工事用ゴンドラ装置は、吊りワイヤー、巻き上げワインダー装置が連結してあるため、山間部への運搬において重量的な問題があると共に、製作時のコストが割高であり、加えて円筒形であることから鉄塔副材、鉄塔斜材等にゴンドラ本体が接触するおそれがあり、ゴンドラが腕金より上部に移動できないといった問題があり、更にはゴンドラから鉄塔の移動においては、ゴンドラを乗り越えないといけないため作業性も悪く安全面でも問題がある。
【０００６】
本考案は、上記したような問題に鑑みてなされたものであり、感電事故の危険性を無くすべく長尺物を避け、運搬や設置、解体が容易且つ迅速に行えると共に、円柱鉄塔等の円柱体のどの位置でも設置可能な安全、安価で工事日数や工事費用の低減を図ることのできる円柱鉄塔工事用足場を提供することを目的とするものである。
【課題を解決するための手段】
【０００７】
上記目的を達成するため、本考案は以下に記載するような手段を講じてなる円柱鉄塔工事用足場とするものである。すなわち、
（１）送電線鉄塔等の円柱体に締め付けて設置するための内周部を設け、外周部に外柵を立てて組立てられたドーナツ状の足場であって、該足場が放射状に複数分割されて組立てられてなることを特徴とするもので、送電線鉄塔等の充電部への接近を避けるため長尺物は使用せず、運搬や設置、解体が容易且つ迅速に行えるようにした。
（２）足場の内周部に、送電線鉄塔等の円柱体に当接させてボルトで締付けクランプするようにしたパッド部材が、複数配設されてなることを特徴とするもので、送電線鉄塔等の円柱体の直径が異なっても任意の高さ位置に、しっかりと締め付けクランプして設置できるようにした。
（３）足場の底部の支持フレーム上に網板材を敷設し、該網板材で、底部の支持フレーム間の開口部が開閉可能に閉塞されてなることを特徴とするもので、送電線鉄塔等に付設される斜材等の障害物がある場合はその部位の網板材は取り外しできるようにすると共に、作業者が円柱体と足場間を移動するのを容易にできるようにした。
（４）放射状に分割された複数の足場部材同士を接合して分離可能に組立てられてなることを特徴とするもので、足場を複数の足場部材に分離することにより、嵩張らず重量的にも軽くなり、山間部等への持ち運びや送電線鉄塔等への取付け設置がやりやすいようにした。
【考案の効果】
【０００８】
上記手段にて記載するように、本考案は、ドーナツ状の足場が放射状に複数に分割されて組立てられたものであるから、分離分割することにより嵩張らず、重量的にも軽くなって山間部等への持ち運びや送電線鉄塔等への取付け設置、解体を容易且つ迅速に行うのに有効である。
【０００９】
又、足場の内周部に、送電線鉄塔等の円柱体に当接させてボルトで締め付けクランプするようにしたパッド部材を複数配設し、前記円柱体をクランプするようにして設置するようにしたものであるから、送電線鉄塔等の円柱体の直径が異なっても任意の高さ位置に、しっかりと足場を設置するのに有効である。
【００１０】
更に、鉄鋼等の網板材で底部の支持フレーム間の開口部を開閉可能に閉塞して前記網板材を足場の底部に敷設することにより、送電線鉄塔等に付設される斜材等の障害にならないように足場を設置するのに有効であり、円柱体と足場間の作業者の移動に有効である。
【考案を実施するための最良の形態】
【００１１】
本考案を実施するための最良の形態について、以下に記載する実施例において実施例を示す図面に基づき詳細に説明する。
【実施例１】
【００１２】
図１は、本考案に係る円柱鉄塔工事用足場の実施例を示す図面で、（Ａ）は、その平面図、（Ｂ）は、（Ａ）におけるＡ−Ａ断面図である。図示するように、円柱鉄塔工事用足場１は、送電線鉄塔等の円柱体に締め付けて設置するための内周部を有する取付ベース２を設け、外周部に外柵３を立てて組立てられたドーナツ状の足場であって、該足場は、放射状に複数（本実施例では４）分割されて足場部材１Ａ，１Ｂ，１Ｃ，１Ｄとしてあり、該足場部材同士を隣接させてボルト等で組立てられている。
【００１３】
取付ベース２は、図２に示すように内周部２ａ，２ａを有する二つの半円弧状のものをボルト４，４，・・・で分割可能に接合して円弧状の内周部が形成されており、内周部２ａ，２ａの下端面より外側へベース板２ｂ，２ｂが延出され、該ベース板と前記内周部２ａ，２ａの外壁面とを補強するように足場部材取付板２ｃ，２ｃ，・・・が、円周略４等分位置に付設されていて、内周部２ａ，２ａの壁面に蝶合されて四方から内側へ突出たボルト５，５，・・・の先端部にパッド部材６，６，・・・が接続されている。
【００１４】
前記パッド部材６は、図３に示すように送電線鉄塔等の円柱体の外径に合わせて円弧状に形成された摩擦係数の大きい滑りにくい当て材６ａの背部に鉄板等の補強板６ｂを当て着し、該補強板６ｂの背部に軸受ボス６ｃを付着させて、前記内周部２ａの外壁面に付着されたナット５ａと螺合したボルト５の先端部の軸部５ｂを、前記軸受ボス６ｃの軸穴に嵌入させた状態で、軸受ボス６ｃに螺子立てたボルト７，７の前端部で溝係合されてパッド部材６が抜けないようにすると共に、ボルト５の回動によりパッド部材６が回動しないように正立した状態でパッド部材６が前進、後退するようにする。
【００１５】
そして、パッド部材６の当て材６ａを送電線鉄塔等の円柱体に当接させ、ボルト５を回動させて前記円柱体を四方からパッド部材６で締付けクランプするようにする。このようにすることにより円柱体の外径が異なってもクランプする円柱体の任意の高さ位置にクランプして設置することが可能となる。
【００１６】
図４は足場を複数に分割（本実施例では４分割）した図４の（ａ）図示の足場部材１Ａ，１Ｂ，１Ｃと図４の（ｂ）図示の足場部材１Ｄの斜視図である。これらの足場部材は、底部が山形鋼等のアングルで補強された支持フレーム１ａ，・・・上に鉄網等の複数の網板材１ｂ，・・・が、丸小ネジや皿小ネジ等で着脱可能に敷設されたり、或いは図４の（ｂ）に示すように網板材１ｂ，１ｂが蝶番８，・・・により開閉自在に敷設されたりして、送電線鉄塔等に付設される斜材等の障害物がある場合や、或いは工事作業者が足場と送電線鉄塔等の円柱体間を移動する場合は、支持フレーム間の開口部を必要に応じて開けるようにしてある。
【００１７】
前記足場部材１Ａ，１Ｂ，１Ｃ，１Ｄの外周には、支柱３Ａ，３Ａ，・・・に円弧状の手摺３Ｂ，３Ｂ，・・・を取付けた外柵３，・・・が立てられ、内側には前記取付ベース２の足場部材取付板２ｃに取付け固定するための支持アーム１ｃ，・・・が延出されている。支持アーム１ｃは、図４の（ａ）では二方に延出されているが、取付け方によってはどちらか一方だけの場合もあり、或いは、図４の（ｂ）に示すように支持アーム１ｃを不要とする場合もある。
【００１８】
なお、前記足場部材１Ａ，１Ｂ，１Ｃ，１Ｄにおける外柵３，・・・は、本実施例では底部の支持フレーム１ａ，・・・と一体に形成された形態となっているが、ボルト等により底部の支持フレーム１ａ，・・・と外柵３，・・・は分離可能にして形成されていても良い。又、前記手摺３Ｂは、板材を円弧状にしてあるが、中空パイプ等を円弧状にしても良く、必要に応じて上下手摺と手摺の空隙部に網を張るのが安全対策上好ましい。
【００１９】
図５は、以上のようにしてなる足場部材１Ａ，１Ｂ，・・・の支持アーム１ｃ，・・・を取付けベース２の足場部材取付板２ｃ，・・・にボルト９，・・・で取付け、足場部材の支持フレーム１ａ，１ａ，・・・、及び外柵３の支柱３Ａ，３Ａ，・・・同士をボルト９Ａ，９Ａ，・・・で接合して足場を組立てる要部斜視図である。図５の（ａ）は、足場部材の支持アーム１ｃは片方のみである。或いは、図５の（ｂ）のように支持アーム１ｃを両方にし、足場部材取付板２ｃを挟むようにしてボルト９，９，・・・で取付けても良い。
【００２０】
図６は、以上のようにして送電線鉄塔等の円柱体Ｐの取付け設置した足場設置例を示す斜視図である。ボルト５，５，・・・を締め付けることにより取付けベース２は前記円柱体Ｐに固定され、取付けベース２に設けられた足場部材取付板２ｃ・・・に、足場部材１Ａ，１Ｂ，・・・を、支持アーム１ｃ・・・を、ボルト９・・・で締め付けることにより取付けられ、足場部材１Ａ，１Ｂ，・・・、及びその外周に立てられた外柵３，３，・・・の接合部はボルト９Ａ，９Ａ，・・・で取付け組立てられている。
【００２１】
前記円柱体Ｐには斜め下方へと上方へ斜材１０，１０Ａが張設されており、斜め下方へ張設された斜材１０の部位は網板材１ｂが取り外されて開口している。
蝶番８，・・・にて開閉自在に敷設された網板材１ｂ，１ｂの部位の支持フレーム間開口部からは工事作業者が足場と送電線鉄塔等の円柱体間を移動するのに供せられる。
【産業上の利用可能性】
【００２２】
円柱体に当接させてクランプするパッド部材の形状を被クランプ柱体の形状に合わせることにより、本考案は円柱体のみならず角柱体にも設置して利用することが可能である。
【図面の簡単な説明】
【００２３】
【図１】本考案の実施例を示す図面で、（Ａ）は平面図、（Ｂ）は（Ａ）のＡ−Ａ断面図である。
【図２】取付けベースの斜視図である。
【図３】締付けクランプ部の要部断面図である。
【図４】外柵を立てた足場部材の実施形態を示す斜視図である。
【図５】外柵を立てた足場部材の取付け組立例を示す斜視図である。
【図６】送電線鉄塔等の円柱体への取付け設置例を示す斜視図である。
【符号の説明】
【００２４】
１  円柱鉄塔工事用足場
１Ａ，１Ｂ，１Ｃ，１Ｄ  足場部材
１ａ  支持フレーム
１ｂ  網板材
１ｃ  支持アーム
２  取付けベース
２ａ  円周部
２ｂ  ベース板
２ｃ  足場部材取付板
３  外柵
３Ａ  支柱
３Ｂ  手摺
４，５，７，９，９Ａ  ボルト
５ａ  ナット
５ｂ  軸部
６  パッド部材
６ａ  当て材
６ｂ  補強板
６ｃ  軸受ボス
８  蝶番
１０，１０Ａ  斜材
Ｐ  円柱体
【図１】
0003133234.tif 000003
【図２】
0003133234.tif 000004
【図３】
0003133234.tif 000005
【図４】
0003133234.tif 000006
【図５】
0003133234.tif 000007
【図６】
0003133234.tif 000008